【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
標準時刻情報信号を含む標準電波を受信して、前記標準時刻情報信号に基づいて時刻修正を行う様に構成された電波修正時計であって、当該電波修正時計は、
複数種類の前記標準電波を受信可能な受信手段と、
時刻情報あるいはカレンダ情報を計時する計時手段と、
前記受信手段からの信号に基づいて、前記計時手段が計時する前記時刻情報あるいは前記カレンダ情報を修正する時刻修正手段と、
外部入力手段と、
前記計時手段が所定の計時情報値となったときに受信動作を行う定時受信動作と前記外部入力手段の操作により受信動作を行う強制受信動作とを実行するように前記受信手段を制御する受信制御手段とを有し、
当該受信制御手段は、前記受信手段で受信動作を開始させてから前記標準電波の受信が不成功である事を当該受信制御手段が判断して前記受信動作を終了させるまでの間に於いて、
前記定時受信動作のときに受信する標準電波の種類よりも、前記強制受信動作のときに受信する標準電波の種類の方が多くなるように、前記受信手段を制御する事を特徴とする電波修正時計。
【請求項２】
当該受信制御手段は、前記定時受信動作のときには１つの標準電波を受信し、前記強制受信動作のときには複数の標準電波を切替えて受信するように前記受信手段を制御する事を特徴とする請求項１に記載の電波修正時計。
【請求項３】
前記定時受信動作で受信する前記１つの標準電波は、前記強制受信動作で前回受信を行った複数種の標準電波のうち受信に成功した標準電波である様に構成されている事を特徴とする請求項２に記載の電波修正時計
【請求項４】
前記定時受信動作で受信する前記１つの標準電波は、前記強制受信動作において複数種の標準電波を受信した所定期間の受信履歴情報に基づき、該受信履歴情報の中で最も受信成功率が高いと判断される標準電波である様に構成されている事を特徴とする請求項３に記載の電波修正時計。
【請求項５】
前記電波修正時計は、さらに、前記受信手段から出力される受信信号に信頼性があるか否かを判断する受信状況判定手段を有し、
前記受信制御手段は、前記強制受信動作において、前記複数種の標準電波に含まれる１つの標準電波を受信する受信動作を行うように前記受信手段を制御しているときに、前記受信状況判定手段が前記受信信号に信頼性がないと判定した場合には、前記複数種の標準電波に含まれる他の１つの標準電波に切り替えて前記受信動作を行うように前記受信手段を制御する事を特徴とする請求項１乃至４のいずれか１項に記載の電波修正時計。
【手続補正２】
【補正対象書類名】明細書
【補正対象項目名】発明の名称
【補正方法】変更
【補正の内容】
【発明の名称】電波修正時計
【手続補正３】
【補正対象書類名】明細書
【補正対象項目名】００１８
【補正方法】変更
【補正の内容】
【００１８】
即ち、本発明に於ける第１の態様としては、標準時刻情報信号を含む標準電波を受信して、前記標準時刻情報信号に基づいて時刻修正を行う様に構成された電波修正時計であって、当該電波修正時計は、複数種類の前記標準電波を受信可能な受信手段と、時刻情報あるいはカレンダ情報を計時する計時手段と、前記受信手段からの信号に基づいて、前記計時手段が計時する前記時刻情報あるいは前記カレンダ情報を修正する時刻修正手段と、外部入力手段と、前記計時手段が所定の計時情報値となったときに受信動作を行う定時受信動作と前記外部入力手段の操作により受信動作を行う強制受信動作とを実行するように前記受信手段を制御する受信制御手段とを有し、当該受信制御手段は、前記受信手段で受信動作を開始させてから前記標準電波の受信が不成功である事を当該受信制御手段が判断して前記受信動作を終了させるまでの間に於いて、前記定時受信動作のときに受信する標準電波の種類よりも、前記強制受信動作のときに受信する標準電波の種類の方が多くなるように、前記受信手段を制御する様に構成された電波修正時計である。
【手続補正４】
【補正対象書類名】明細書
【補正対象項目名】００１９
【補正方法】変更
【補正の内容】
【００１９】
又、本発明にかかる第２の態様としては、上記第１の態様に於いて、当該受信制御手段は、前記定時受信動作のときには１つの標準電波を受信し、前記強制受信動作のときには複数の標準電波を切替えて受信するように前記受信手段を制御する様に構成された電波修正時計である。
【手続補正５】
【補正対象書類名】明細書
【補正対象項目名】００２０
【補正方法】変更
【補正の内容】
【００２０】
又、本発明にかかる第３の態様としては、上記第２の態様に於いて、前記定時受信動作で受信する前記１つの標準電波は、前記強制受信動作で前回受信を行った複数種の標準電波のうち受信に成功した標準電波である様に構成され電波修正時計である。
【手続補正６】
【補正対象書類名】明細書
【補正対象項目名】００２１
【補正方法】変更
【補正の内容】
【００２１】
更に、本発明にかかる第４の態様としては、上記第３の態様に於いて、前記定時受信動作で受信する前記１つの標準電波は、前記強制受信動作において複数種の標準電波を受信した所定期間の受信履歴情報に基づき、該受信履歴情報の中で最も受信成功率が高いと判断される標準電波である様に構成されている電波修正時計である。
【手続補正７】
【補正対象書類名】明細書
【補正対象項目名】００２２
【補正方法】変更
【補正の内容】
【００２２】
又、本発明にかかる第５の態様としては、上記した各態様に於いて、前記電波修正時計は、さらに、前記受信手段から出力される受信信号に信頼性があるか否かを判断する受信状況判定手段を有し、前記受信制御手段は、前記強制受信動作において、前記複数種の標準電波に含まれる１つの標準電波を受信する受信動作を行うように前記受信手段を制御しているときに、前記受信状況判定手段が前記受信信号に信頼性がないと判定した場合には、前記複数種の標準電波に含まれる他の１つの標準電波に切り替えて前記受信動作を行うように前記受信手段を制御する様に構成されている電波修正時計である。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】